(57)【要約】【課題】ノーマルアスペクトの入力画像を、ラインメモリを必要とする入力画像圧縮を必要としない簡単な構成で、サイドブラック表示を実現できるワイドアスペクトの液晶表示装置を提供する。【解決手段】信号線駆動回路３０のパルス走査回路３１を第１のパルス走査回路４１、第２のパルス走査回路４２及び第３のパルス走査回路４３の３つの領域に分割し、第１のパルス走査回路４１、第２のパルス走査回路４３、第３のパルス走査回路を順次操作することで、映像信号を表示パネルに表示する。この構成により、入力画像を圧縮加工することなくサイドブラック表示が可能となる。【選択図】図１
2006292925.tif 000002
【特許請求の範囲】
【請求項１】
マトリックス状に配置された複数の走査線と複数の信号線との各交差点に形成された表示画素と、
前記走査線を駆動する走査線ドライバと、
パルス走査回路及び前期パルス走査回路からの走査信号で映像信号を前期信号線へ順次書き込むスイッチ回路を含んで構成される信号線ドライバとを有し、
前記パルス走査回路を、第１のパルス走査回路、第２のパルス走査回路及び第３のパルス走査回路の少なくとも３つ以上の複数領域に分割した構成を備えることを特徴とする液晶表示装置。
【請求項２】
前記複数領域のパルス走査回路を、第１のパルス走査回路、第２のパルス走査回路、及び第３のパルス走査回路とすると、前記第１のパルス走査回路・前記第２のパルス走査回路・前記第３のパルス走査回路の順にシリーズ走査するとともに、前記第１のパルス走査回路及び前記第３のパルス走査回路の走査速度を、前記第２のパルス走査回路の走査速度よりも速くすることを特徴とする請求項１記載の液晶表示装置。
【請求項３】
前記第２のパルス走査回路の走査終了後、前記第３のパルス走査回路の走査開始まで所定の期間停止して、前記第１のパルス走査回路及び前記第３のパルス走査回路を並列走査することを特徴とする請求項１または２何れかに記載の液晶表示装置。
【請求項４】
前記第１のパルス走査回路及び前記第３のパルス走査回路の走査期間での映像信号と走査停止期間の映像信号とを異ならせることを特徴とする請求項１〜３何れかに記載の液晶表示装置。
【請求項５】
前記第１のパルス走査回路及び前記第３のパルス走査回路それぞれをさらに少なくとも２つの領域に分割し、前記第１のパルス走査回路及び前記第３のパルス走査回路を並列に走査した後、前記第２のパルス走査回路の走査を行うことを特徴とする請求項１〜４何れかに記載の液晶表示装置。
【請求項６】
前記第１のパルス走査回路、前記第２のパルス走査回路、及び前記第３のパルス走査回路の走査速度が同一であることを特徴とする請求項５記載の液晶表示装置。
【発明の詳細な説明】
【技術分野】
【０００１】
本発明は、コンピュータの画像やテレビジョンの映像等を表示するためのアクティブマトリックス液晶表示装置に関するものである。
【背景技術】
【０００２】
近年、液晶表示装置（ＬＣＤ）は、薄型，省電力といった特徴から注目され、より一層の低コスト化，高性能化の要求が高まっている。
【０００３】
このような要望に対して、ポリシリコン薄膜トランジスタ（ｐＳｉ−ＴＦＴ）により各画素と駆動回路とを同一プロセスで形成するアクティブマトリックス液晶表示装置が、例えば特許文献１に開示されている。
【０００４】
図９は、特許文献１に開示されているポリシリコン薄膜トランジスタを用いたアクティブマトリックス液晶表示パネルの構成を示す回路図である。図において、１０は表示画素部であり、走査線Ｇ１，Ｇ２，Ｇ３，Ｇ４，……Ｇｎと、信号線Ｓ１，Ｓ２，Ｓ３，……Ｓｍとの交差部にスイッチング素子１１、液晶セル１２及び補助容量１３が配置され、各走査線は走査線駆動回路２０に接続され、各信号線は信号線駆動回路３０に接続されている。走査線ドライバである走査線駆動回路２０はシフトレジスタの走査回路２１と出力制御回路２２とから構成され、信号線ドライバである信号線駆動回路３０はシフトレジスタの走査回路３１と映像表示信号Ｖｓｉｇをサンプリングするスイッチ回路３２とから構成されている。図１０は走査線駆動回路２０及び信号線駆動回路３０の走査回路２１及び３１の構成図である。すなわち、スタート信号であるＳＴ信号（走査回路２１であればＳＴＶ信号、走査回路３１であればＳＴＨ信号）とクロック信号であるＣＫ信号（走査回路２１であればＣＫＶ信号、走査回路３１であればＣＫＨ信号）とを入力し、走査回路２１であればシフトレジスタ出力信号Ｑ（Ｑ１，Ｑ２，Ｑ３，……Ｑｎ）、走査回路３１であればシフトレジスタ出力信号Ｑ（Ｑ１，Ｑ２，Ｑ３，……Ｑｎ）を出力する。
【０００５】
走査線駆動回路２０の動作タイミングチャートを示す図１１、及び信号線駆動回路３０の動作タイミングチャートを示す図１２を参照して、走査線駆動回路２０及び信号線駆動回路３０の動作を説明する。図１１において、ＳＴＶ信号で走査回路２１をリセットし、ＣＫＶ信号によって順次パルスをシフトした内部走査パルス（Ｇｑ１，Ｇｑ２，Ｇｑ３，……Ｇｑｎ）を生成し、出力期間制御信号（ＯＥＶ信号）で出力パルス幅を制御し、走査線（Ｇ１，Ｇ２，Ｇ３，……Ｇｎ）に対応した走査線駆動信号を出力する。また、図１２において、ＳＴＨ信号とＣＫＨ信号とでスイッチ回路３２を制御する内部信号パルス（Ｓｑ１，Ｓｑ２，Ｓｑ３，……Ｓｑｎ）を生成し、信号線（Ｓ１，Ｓ２，Ｓ３，……Ｓｎ）に対応した映像表示信号Ｖｓｉｇを出力する。
【特許文献１】特開２００５−０１０２６６号公報
【発明の開示】
【発明が解決しようとする課題】
【０００６】
近年の映像信号の多様化、高精細化に伴い、小型表示装置においてもワイドアスペクト化が望まれている。表示装置のアスペクトに拘わらす、図１３（ａ）に示すワイド画像信号(スクイーズ画像)や図１４（ａ）に示すノーマル画像信号を、本来のアスペクトで表示させる必要がある。しかしながら、従来のワイドアスペククトのアクティブマトリックス液晶表示装置では、図１３（ａ）に示すワイド画像信号は、同図（ｂ）に示すようにワイド画像として表示できるが、図１４（ａ）に示すノーマル画像信号は、同図（ｂ）に示すように横長の画像表示となり本来のアスペクトで表示できないため、図１５（ｂ）に示す本来のアスペクトで表示させるため、図１４（ａ）のノーマル画像信号を図１５（ａ）に示すように水平圧縮して表示装置へ入力する必要がある。このような水平圧縮を行うためには、走査線（Ｇ１，Ｇ２，Ｇ３，……Ｇｎ）それぞれにラインメモリを備えることが要請され、走査線駆動回路２０のコストが高くなるという課題を有していた。
【０００７】
本発明は上記従来の問題点を解決するもので、安価な構成でノーマルアスペクト画像の画像アスペクトを維持したサイドブラック表示を可能とできる液晶表示装置を提供することを目的とする。
【課題を解決するための手段】
【０００８】
この目的を達成するために本発明の液晶表示装置は、マトリックス状に配置された複数の走査線と複数の信号線との各交差点に表示画素が形成され、前記走査線を駆動する走査線ドライバと、パルス走査回路，スイッチ回路を含んで構成される前記信号線を駆動する信号線ドライバとが形成されたアクティブマトリックス液晶表示パネルを用いた液晶表示装置であって、前記パルス走査回路を第１のパルス走査回路、第２のパルス走査回路、第３のパルス走査回路の少なくとも３つ以上の領域に分割した構成を有する。
【発明の効果】
【０００９】
以上説明したように、本発明によれば、信号線ドライバのパルス走査回路を少なくとも３つ以上の領域に分割構成することによりラインメモリを必要とする画像圧縮を行うことなく、サイドブラック表示を実現することが可能となり、さらにサイドブラック表示部に対応する領域のパルス走査回路をさらに分割構成することにより、走査速度の上昇を伴うことなく、液晶表示装置の制御装置の一般な機能であるスタートパルスのポジション変更のみでサイドブラック表示を実現することができその実用的効果は大きい。
【発明を実施するための最良の形態】
【００１０】
次に、本発明の液晶表示装置における好ましい実施形態を、図面を参照しながら説明する。
【実施例１】
【００１１】
図１は、本発明の液晶表示装置に係る一実施例におけるパルス走査回路の要部構成図である。本実施例の液晶表示装置は、第１のパルス走査回路（ＳＲ（１））４１、第２のパルス走査回路（ＳＲ（２））４２及び第３のパルス走査回路（ＳＲ（３））４３の３つの領域に分割された構成である。図２は、本実施例に係わるサイドブラック表示を行う場合のパルス走査概念図を示す。なお、縦方向は選択信号線を示し、横方向は時間である。同図に示すように、水平ブランキング期間に第１のパルス走査回路４１のＳｑ１，Ｓｑ２，……Ｓｑ９を順次走査し、水平ブランキング期間の映像を信号線に書き込む。ここで水平ブランキング期間の映像は一般的に黒であるので、特に映像信号を操作する必要はない。次に、第２のパルス走査回路４２のＳｑ１０，Ｓｑ１１，……Ｓｑ７０，Ｓｑ７１を順次走査し、Ｓｑ１０及びＳｑ７１は水平ブランキング期間の黒信号を、他は有効映像を信号線に書き込む。次に、第３のパルス走査回路１３のＳｑ７２，Ｓｑ７３，……Ｓｑ８０を順次走査し、水平ブランキング期間の黒映像を信号線に書き込む。このような駆動を行うことにより、水平ブランキング期間にサイドブラック表示を割り当てることができる。ここで、水平ブランキング期間内の所定の期間Ｔｃｖは、走査線ドライバ２０の動作や信号線に一括して所定の信号を書き込むため必要な時間であり、第１のパルス走査回路４１及び第３のパルス走査回路４３の動作とオーバーラップさせることができないため、第１のパルス走査回路４１及び第３のパルス走査回路４３の動作速度を第２のパルス走査回路４２よりも速くする必要がある。
【００１２】
また、第２のパルス走査回路のＳｑ１０の選択期間５１とＳｑ７１の選択期間５２とを水平ブランキング期間に入れることにより、サイドブラックと映像の境界に発生する不具合を抑制することが可能となり、図１７に示すのデルタ配置のカラーフィルタ構成で有効である。すなわち、デルタ配置構成ではＶｓｉｇＲ、ＶｓｉｇＧ及びＶｓｉｇＢのそれぞれをスイッチ回路３２で選択する選択期間は、走査回路３１からのシフトレジスタ出力信号Ｑにより制御される。この選択期間は画素単位で見るとＲ、Ｇ及びＢの画素のセットである。このため、例えばＳｑ１０の選択期間５１の画素のセットとＳｑ１１の映像が開始する選択期間５３の画素のセットとは、ＶｓｉｇＲ、ＶｓｉｇＧ、ＶｓｉｇＢそれぞれを選択するわずかな遅延はあるものの、画素のセットで見ると同じ挙動をすることとなる。ここで、選択期間５１を黒映像として水平ブランキング期間に入れることにより、選択期間５３の映像表示信号Ｖｓｉｇが何れの画素から実際の有効映像信号が信号線Ｓに入力されたとしても、水平ブランキング期間は黒表示画面となるため、水平ブランキング期間と有効映像期間との境界部が乱れることがない。また、選択期間５４と選択期間５２とでも同様であり、有効映像期間と水平ブランキング期間との境界部に乱れが発生することを抑制できる。
【００１３】
以上のように本発明の第１の実施の形態によれば、第１及び第３のパルス走査回路の走査速度を速めることで、ラインメモリを必要とする画像圧縮を行うことなく、サイドブラック表示を実現することが出来る。
【実施例２】
【００１４】
図３は、本発明液晶表示装置に係る他の実施例におけるサイドブラック表示を行う場合のパルス走査概念図である。パルス走査回路は、図１を参照した発明の実施例１と同じ構成である。図３において、縦方向は選択信号線を示し、横方向は時間である。
【００１５】
図３に示すように、水平ブランキング期間に第１のパルス走査回路４１のＳｑ１，Ｓｑ２，Ｓｑ３，……Ｓｑ９を順次走査し、水平ブランキング期間の黒信号を信号線に書き込む。次に第２のパルス走査回路４２のＳｑ１１，Ｓｑ１２，……Ｓｑ７０を順次走査し、有効映像を信号線に書き込む。次に、第３のパルス走査回路４３のＳｑ７１，Ｓｑ７２，……Ｓｑ８０を順次走査し、水平ブランキング期間の黒映像を信号線に書き込むことにより、サイドブラック表示が可能となる。実施例１との違いは、第３のパルス走査回路動作中のＴｃｖの期間に走査を停止させることにより、１周期前の第１のパルス走査回路動作とが重なっている点である。このことにより、水平ブランキング期間内の所定の期間Ｔｃｖを確保しながら、第１のパルス走査回路４１及び第３のパルス走査回路４３の動作速度を実施例１の場合よりも遅くできる。ここで、第３のパルス走査回路動作を停止させることでＳｑ７２の選択期間５５が、水平ブランキング期間内で走査ドライバ２０の動作や信号線に一括して所定の信号を書き込む期間Ｔｃｖと重なるため、その期間Ｔｃｖの入力映像信号を黒とは別の信号にすることができ、信号線への一括書き込み動作に対する不具合を抑止できると共に、走査線駆動回路２０の出力制御回路２２と同様な構成をとることで入力映像信号の制御が不要になる。
【００１６】
以上のように本実施例によれば、ラインメモリを必要とする画像圧縮を行うことなく、第１及び第３のパルス走査回路の走査速度を、図４のスタート信号切り替えスイッチ４４を追加した構成と同等の走査速度で、サイドブラック表示を実現することが出来る。
【実施例３】
【００１７】
図５は、本発明の液晶表示装置に係る別の実施例のパルス走査回路の構成図を示す。図５に示すように、第１のパルス走査回路４１，第２のパルス走査回路４２，第３のパルス走査回路４３の３つの領域に分割された構成自体は実施例１と同じであるが、第１及び第３のパルス走査回路を、４１ａ，４１ｂ，４３ａ，４３ｂとさらに２つずつ分割し、スタート信号切り替えスイッチ４４を追加した構成である。ここで、スタート信号切り替えスイッチ４４をＳＴＨ信号が各パルス走査回路に入力するよう制御することで、サイドブラック表示を行う。図６に本実施例におけるサイドブラック表示を行う場合のパルス走査概念図を示す。また、図１６にノーマル表示を行う場合のパルス走査概念図を示す。図６及び図１６において、縦方向は選択信号線を示し、横方向は時間である。
【００１８】
図６に示すように、水平ブランキング期間に第１のパルス走査回路４１ａ，４１ｂ、及び第３のパルス走査回路４３ａ，４３ｂを並列に順次走査し、水平ブランキング期間の映像を信号線に書き込む。ここで水平ブランキング期間の映像は一般的に黒であるので、映像信号を操作する必要はない。次に、第２のパルス走査回路１２のＳｑ１０、Ｓｑ１１、Ｓｑ１２、……Ｓｑ７０、Ｓｑ７１を順次走査し、Ｓｑ１０及びＳｑ７１は水平ブランキング期間の黒信号を、他は有効映像を信号線に書き込むことにより、サイドブラック表示が可能となる。なお、図６に示すように、水平ブランキング期間内の所定の期間Ｔｃｖは走査線ドライバ２０の動作や信号線に一括して所定の信号を書き込むための時間が必要であり、第１及び第３のパルス走査回路の動作とオーバーラップさせることができないが、第１及び第３のパルス走査回路をそれぞれ２つに分割して並列に動作させることで、第２のパルス走査回路４２の動作速度と同じ速度でも水平ブランキング期間内の所定の期間Ｔｃｖを確保することができる。
【００１９】
また、第１と第３のパルス走査回路動作を並列にするのではなく、例えば図７に示すように、第１、第３のパルス走査回路をそれぞれ３つに分割することで、第１，第２，第３の順にパルス走査回路を動作させることもできる。
【００２０】
以上のように、本実施例によれば、第１及び第３のパルス走査回路をさらに分割構成することで、走査速度を速めることなく、サイドブラック表示を実現することが出来る。
【００２１】
なお、本発明の実施の形態において、パルス走査回路をＳｑ１からＳｑ８０までの８０段としたが、８０段に限定されるものでないことはいうまでもなく、また第１及び第３のパルス走査回路の分割数も図５の２分割や図７の３分割に限定されるものではなく、画素数やサイドブラック領域によって変わることはいうまでもない。また、図１０でパルス走査回路を、クロックエッジ動作のＤ型フリップフロップの縦列接続構成としたが、同様の走査動作ができれば回路規模の削減のためにレベルエッジ動作のラッチなどのように他の構成でも良い。
【産業上の利用可能性】
【００２２】
本発明の液晶表示装置によると、映像信号の明日終え区と否を維持した表示を可能とするため、高解像力の表示装置にも適用することができ、例えばハイビジョン映像等の高画質映像信号を下のアスペクト比で視認する表示装置に適用できる。
【図面の簡単な説明】
【００２３】
【図１】本発明の実施の形態１におけるパルス走査回路の構成図
【図２】本発明の実施の形態１におけるサイドブラック表示時のパルス走査概念図
【図３】本発明の実施の形態２におけるサイドブラック表示時のパルス走査概念図
【図４】本発明の実施の形態２におけるパルス走査回路の構成図
【図５】本発明の実施の形態３におけるパルス走査回路の構成図
【図６】本発明の実施の形態３におけるサイドブラック表示時のパルス走査概念図
【図７】本発明の実施の形態３におけるパルス走査回路の構成図
【図８】本発明の実施の形態３におけるサイドブラック表示時のパルス走査概念図
【図９】従来の実施の形態におけるアクティブマトリックス液晶表示パネルの構成図
【図１０】従来の実施の形態におけるアクティブマトリックス液晶表示パネルの走査回路の構成図
【図１１】従来の実施の形態における走査線駆動回路の動作タイミングチャート
【図１２】従来の実施の形態における信号線駆動回路の動作タイミングチャート
【図１３】（ａ）は従来の実施の形態におけるワイドアスペクト映像信号概念図、（ｂ）は従来の実施の形態におけるワイドアスペクト表示概念図
【図１４】（ａ）は従来の実施の形態におけるノーマルアスペクト映像信号概念図、（ｂ）は従来の実施の形態におけるノーマルアスペクト表示概念図
【図１５】（ａ）は従来の実施の形態におけるサイドブラック映像信号概念図、（ｂ）は従来の実施の形態におけるサイドブラック表示概念図
【図１６】本発明の実施の形態３におけるノーマル表示時のパルス走査概念図
【図１７】本発明の実施の形態１における液晶表示装置の動作タイミングチャート
【符号の説明】
【００２４】
１０  表示画素部
１１  スイッチング素子
１２  液晶セル
１３  補助容量
２０  走査線駆動回路
２１  走査回路
２２  出力制御回路
３０  信号線駆動回路
３１  走査回路
３２  スイッチ回路
４１，４２，４３  パルス走査回路
４１ａ，４１ｂ，４１ｃ，４３ａ，４３ｂ，４３ｃ  パルス走査回路
５１，５２  サイドブラック境界選択期間
５３  走査停止時選択期間
【図１】
2006292925.tif 000003
【図２】
2006292925.tif 000004
【図３】
2006292925.tif 000005
【図４】
2006292925.tif 000006
【図５】
2006292925.tif 000007
【図６】
2006292925.tif 000008
【図７】
2006292925.tif 000009
【図８】
2006292925.tif 000010
【図９】
2006292925.tif 000011
【図１０】
2006292925.tif 000012
【図１１】
2006292925.tif 000013
【図１２】
2006292925.tif 000014
【図１３】
2006292925.tif 000015
【図１４】
2006292925.tif 000016
【図１５】
2006292925.tif 000017
【図１６】
2006292925.tif 000018
【図１７】
2006292925.tif 000019